(57)【要約】      （修正有）【課題】圧力損失を低減できる流量制御弁およびそれを用いたエンジン冷却水の冷却システムを提供する。【解決手段】エンジンから熱交換器へ供給される冷却水の流量を調整する流量制御弁であるメカニカルコントロールバルブ９のロータ１２は、駆動軸１３と固定されロータ１２内側の空間に突出する延在部４２の外周側に、駆動軸１３の回転軸線に沿う方向にｘ軸を設定し、ｘ軸において駆動機構１１からロータ１２へ向かう方向を正方向として、ｘ軸正方向側から負方向側へ向かって径方向の外形が大きくなる第１ガイド部４３を備える。【選択図】図６
2018048683.tif 000002
【特許請求の範囲】
【請求項１】
駆動軸と、
前記駆動軸が貫通する基部と、前記駆動軸の軸線に沿う方向を軸方向としたとき前記基部の外周から前記軸方向一方側へ延び内周側に弁体収容部が設けられた周壁と、前記周壁の前記軸方向一方側の端部に設けられ前記弁体収容部と連通する主連通口と、前記周壁に形成され前記弁体収容部と連通する複数の副連通口と、前記基部から前記軸方向一方側へ向かって突設され前記駆動軸を回転可能に支持する軸受部と、を有するハウジングと、
前記基部の前記軸方向他方側に設けられ前記駆動軸を回転駆動する駆動機構と、
前記弁体収容部に収容された弁体であって、底部と、前記底部の外周から前記軸方向一方側へ延びる外周部と、前記外周部の前記軸方向一方側の端部に設けられ前記主連通口と連通する主開口部と、前記外周部に形成され前記弁体が所定の回転角度範囲にあるときに前記複数の副連通口のうち対応する副連通口と連通する複数の副開口部と、前記底部または前記外周部から前記軸方向一方側へ延び前記駆動軸の一方側の端部と固定された延在部と、前記延在部の外周側に設けられ前記軸線の放射方向を径方向としたとき前記軸方向一方側から他方側へ向かって前記径方向の外形が大きくなる第１ガイド部と、を有する弁体と、
を備えた流量制御弁。
【請求項２】
請求項１に記載の流量制御弁において、
前記延在部は、前記第１ガイド部から前記軸方向他方側へ延びる筒状部を有する流量制御弁。
【請求項３】
請求項２に記載の流量制御弁において、
前記延在部は、前記円筒部と前記底部の外周または前記外周部とを接続し前記軸方向一方側から他方側へ向かって径方向の外形が大きくなる第２ガイド部を有する流量制御弁。
【請求項４】
請求項３に記載の流量制御弁において、
前記弁体は、前記軸方向へ延び、前記底部と前記第２ガイド部とを接続する接続部を有する流量制御弁。
【請求項５】
請求項２に記載の流量制御弁において、
前記複数の副開口部のうちの少なくとも１つは、前記第１ガイド部と前記軸方向にオーバーラップする流量制御弁。
【請求項６】
請求項２に記載の流量制御弁において、
前記複数の副連通口および前記複数の副開口部のうち対応する二者の一方から前記ハウジングと前記外周部との前記径方向間の隙間への流体の漏れを抑制するシール部を有する流体制御弁。
【請求項７】
請求項１に記載の流量制御弁において、
前記複数の副連通口は、第１副連通口および前記第１副連通口よりも前記軸方向他方側に設けられた第２副連通口を有し、
前記複数の副開口部は、前記第１副連通口と対応し前記第１ガイド部と前記軸方向にオーバーラップする第１副開口部および前記第２副連通口と対応する第２副開口部を有する流量制御弁。
【請求項８】
請求項７に記載の流量制御弁において、
前記弁体は、前記第２副開口部の前記軸方向他方側の開口周縁と接続し、前記軸方向一方側から他方側へ向かって径方向の外形が大きくなる第２ガイド部を有する流量制御弁。
【請求項９】
請求項７に記載の流量制御弁において、
前記複数の副連通口は、前記第１副連通口よりも前記軸方向一方側に設けられた第３副連通口を有し、
前記複数の副開口部は、前記第３副連通口と対応し前記第１副開口部よりも開口面積が大きな第３副開口部を有する流量制御弁。
【請求項１０】
請求項７に記載の流量制御弁において、
前記第１副連通口および第２副連通口の少なくとも一方を複数個とした流量制御弁。
【請求項１１】
請求項１に記載の流量制御弁において、
前記軸受部は、前記駆動軸を回転可能に支持する第１ラジアル軸受を有し、
前記周壁は、前記軸方向一方側の端部に設けられ、前記外周部の前記軸方向一方側の端部を回転可能に支持する第２ラジアル軸受を有する流量制御弁。
【請求項１２】
請求項１１に記載の流量制御弁において、
前記ハウジングは、軸受部と前記ハウジングの外部とを接続し前記軸線に対して傾斜したリリーフ孔を有する流量制御弁。
【請求項１３】
請求項１１に記載の流量制御弁において、
前記軸受部は、前記駆動軸を支持するスラスト軸受を有する流量制御弁。
【請求項１４】
請求項１に記載の流量制御弁において、
前記複数の副連通口のうち少なくとも１つは、前記径方向内側から外側へ向かって開口面積が大きくなる配管と接続する流量制御弁。
【請求項１５】
請求項１に記載の流量制御弁において、
前記外周部は、前記軸方向他端側から一方側へ向かって内径が大きくなる流量制御弁。
【請求項１６】
請求項１５に記載の流量制御弁において、
前記外周部は、その前記軸方向一方側の端部にフランジ部を有する流量制御弁。
【請求項１７】
駆動軸と、
前記駆動軸の軸線に沿う方向を軸方向としたとき前記駆動軸の前記軸方向一方側に設けられた弁体収容部と、前記弁体収容部の前記軸方向一方側に設けられ前記弁体収容部と連通する主連通口と、前記軸線の放射方向を径方向としたとき前記弁体収容部に前記径方向から連通する複数の副連通口と、を有するハウジングと、
前記駆動軸の前記軸方向他方側に設けられ前記駆動軸を回転駆動する駆動機構と、
前記弁体収容部に収容され、底部と、前記底部の外周から前記軸方向一方側へ延びる外周部と、前記底部よりも前記軸方向一方側に設けられ前記駆動軸の回転力を受ける軸支部と、前記外周部の前記軸方向一方側の端部に設けられ前記主連通口と連通する主開口部と、前記外周部に形成され前記軸線の放射方向を径方向としたとき前記弁体が所定の回転角度範囲にあるときに前記複数の副連通口のうち対応する副連通口と前記径方向にオーバーラップする複数の副開口部と、前記底部の外周または前記外周部から前記軸方向一方側かつ前記径方向内側へ向かって延び前記軸支部と接続するガイド部と、を有する弁体と、
を備えた流量制御弁。
【請求項１８】
流入した流体を冷却する複数の熱交換器と、
前記複数の熱交換器を経由し、前記熱交換器で冷却された流体を循環させることで熱源を冷却する回路と、
前記回路内を循環する前記流体の流量を制御する流量制御弁と、
を有し、
前記流量制御弁は、
駆動軸と、
前記駆動軸が貫通する基部と、前記駆動軸の軸線に沿う方向を軸方向としたとき前記基部の外周から前記軸方向一方側へ延び内周側に弁体収容部が設けられた周壁と、前記周壁の前記軸方向一方側の端部に設けられ前記弁体収容部と連通する主連通口と、前記周壁に形成され前記弁体収容部と連通する複数の副連通口と、前記基部から前記軸方向一方側へ向かって突設され前記駆動軸を回転可能に支持する軸受部と、を有するハウジングと、
前記基部の前記軸方向他方側に設けられ前記駆動軸を回転駆動する駆動機構と、
前記弁体収容部に収容され、底部と、前記底部の外周から前記軸方向一方側へ延びる外周部と、前記外周部の前記軸方向一方側の端部に設けられ前記主連通口と連通する主開口部と、前記外周部に形成され前記弁体が所定の回転角度範囲にあるときに前記複数の副連通口のうち対応する副連通口と連通する複数の副開口部と、前記底部または前記外周部から前記軸方向一方側へ延び前記駆動軸の一方側の端部と固定された延在部と、前記延在部の外周側に設けられ前記軸線の放射方向を径方向としたとき前記軸方向一方側から他方側へ向かって前記径方向の外形が大きくなる第１ガイド部と、を有する弁体と、
を備えた冷却システム。
【請求項１９】
請求項１８に記載の冷却システムにおいて、
前記流量制御弁は、前記熱源から前記複数の熱交換器へ向かう前記流体の流量を制御し、
前記主連通口は前記熱源側と接続し、前記複数の副連通口は前記複数の熱交換器側と接続する冷却システム。
【請求項２０】
請求項１８に記載の冷却システムにおいて、
前記流量制御弁は、前記複数の熱交換器から前記熱源へ向かう前記流体の流量を制御し、
前記主連通口は前記熱源側と接続し、前記複数の副連通口は前記複数の熱交換器側と接続する冷却システム。
【発明の詳細な説明】
【技術分野】
【０００１】
本発明は、流量制御弁および冷却システムに関する。
【背景技術】
【０００２】
従来、回転する弁体を有する流量制御弁が知られている（例えば特許文献１）。
【先行技術文献】
【特許文献】
【０００３】
【特許文献１】特開2004-76647号公報
【発明の概要】
【発明が解決しようとする課題】
【０００４】
従来の流量制御弁では、弁体内側に弁体支持構造が突出しているため、流体の圧力損失が大きい。
本発明の目的の一つは、圧力損失を低減できる流量制御弁および冷却システムを提供することにある。
【課題を解決するための手段】
【０００５】
本発明の一実施形態における流量制御弁では、弁体は、駆動軸と固定され弁体内側の空間に突出する延在部の外周側に、軸方向一方側から他方側へ向かって径方向の外形が大きくなる第１ガイド部を備える。
【発明の効果】
【０００６】
よって、本発明にあっては、圧力損失を低減できる。
【図面の簡単な説明】
【０００７】
【図１】実施形態１の冷却システム1の概略図である。
【図２】実施形態１のMCV9の斜視図である。
【図３】実施形態１のMCV9の分解斜視図である。
【図４】実施形態１のMCV9の平面図である。
【図５】図４のS5-S5線矢視断面斜視図である。
【図６】図４のS5-S5線矢視断面図である。
【図７】図４のS7-S7線矢視断面図である。
【図８】図４のS8-S8線矢視断面斜視図（ハウジングのみ）である。
【図９】実施形態１のロータ12の斜視図である。
【図１０】図９のロータ12を180度回転させたときの斜視図である。
【図１１】実施形態２における図４のS5-S5線矢視断面図である。
【図１２】実施形態３における図４のS5-S5線矢視断面図である。
【図１３】実施形態４の冷却システム100の概略図である。
【発明を実施するための形態】
【０００８】
〔実施形態１〕
図１は、実施形態１の冷却システム1の概略図である。
実施形態１の冷却システム1は、熱源であるエンジン2を冷却した冷却水（流体）を、複数の熱交換器（ラジエータ3、トランスミッションオイルウォーマ4、ヒータ5）を経由させた後、ウォータポンプ6を介してエンジン2へ還流させる回路7を有する。エンジン2は車両に搭載された、例えばガソリンエンジンである。ラジエータ3は、冷却水と走行風との熱交換により冷却水を冷却する。トランスミッションオイルウォーマ4は、冷却水と変速機オイルとの熱交換により冷却水を冷却する。トランスミッションオイルウォーマ4は、エンジン2の冷間時は変速機オイルの温度を高める一方、エンジン2の暖機終了後は変速機オイルを冷却するオイルクーラとして機能する。ヒータ5は、車室内の暖房時、冷却水と車室内への送風空気との熱交換により冷却水を冷却する。ウォータポンプ6は、エンジン2の駆動力により回転駆動され、ラジエータ3、トランスミッションオイルウォーマ4およびヒータ5からの冷却水をエンジン2へ供給する。回路7は、各熱交換器3,4,5を迂回して冷却水を常時循環させるための常時開水路7aを有する。常時開水路7aには、冷却水の温度（水温）を検出する水温センサ8が設置されている。メカニカルコントロールバルブ（以下、MCV）9は、エンジン２から各熱交換器3,4,5へ供給される冷却水の流量を調整する流量制御弁である。MCV9の詳細は後述する。エンジンコントロールユニット101は、水温センサ8により検出された水温やエンジン2からの情報（エンジン負圧、スロットル開度等）等に基づいてMCV9のバルブ回転角度を制御する。
【０００９】
次に、MCV9の構成を説明する。
図２は実施形態１のMCV9の斜視図、図３はMCV9の分解斜視図、図４はMCV9の平面図、図５は図４のS5-S5線矢視断面斜視図、図６は図４のS5-S5線矢視断面図、図７は図４のS7-S7線矢視断面図、図８は図４のS8-S8線矢視断面斜視図（ハウジングのみ）、図９は実施形態１のロータ12の斜視図、図１０は図９のロータ12を180度回転させたときの斜視図である。
MCV9は、ハウジング10、駆動機構11、ロータ（弁体）12および駆動軸13を有する。以下、駆動軸13の回転軸線に沿う方向にx軸を設定し、x軸において駆動機構11からロータ12へ向かう方向をx軸正方向、反対方向をx軸負方向とする。また、x軸の放射方向を径方向、x軸周りの方向を周方向という。
【００１０】
まず、ハウジング10の構成を説明する。
ハウジング10は、例えばアルミニウム合金材料を用いて、鋳造により形成されている。ハウジング10は、基部14、周壁15、主連通口16、複数の副連通口17および軸受部18を有する。基部14は、x軸方向と垂直な略円盤形状である。基部14の中心には、駆動軸13がx軸方向に貫通する。基部14のx軸正方向側の面には、x軸正方向側へ突出したストッパ14aが設けられている。周壁15は、基部14の外周からx軸正方向側へ延びる略円筒状である。周壁15は、x軸負方向側から正方向側へ向かって内径が大きくなるテーパ形状を有する。周壁15の内周側には、略円柱状の空間であって、ロータ12を収容する弁体収容部19が設けられている。主連通口16は、周壁15のx軸正方向端（ハウジング10のx軸正方向端）に形成された円形の開口部であって、弁体収容部19と連通する。主連通口16は、エンジン2からの水路と弁体収容部19とを接続する。複数の副連通口17は、周壁15に形成された円形の開口部であって、弁体収容部19と連通する。複数の副連通口17は、第１副連通口17a、第２副連通口17bおよび第３副連通口17cである。第１副連通口17aは開口面積が最も小さく、第３副連通口17cは開口面積が最も大きい。第２副連通口17bは第１副連通口17aよりもx軸負方向側に位置し、第３副連通口17cは第１副連通口17aよりもx軸正方向側に位置する。x軸負方向側から見たとき、第２副連通口17bは第１副連通口17aから右回りに90度ずれた位置にあり、第３副連通口17cは第１副連通口17aから右回りに180度ずれた位置にある。
【００１１】
各副連通口17a,17b,17cの径方向外側には、管継手であるアウトレット（配管）20a,20b,20cが固定されている。第１アウトレット20aは、第１副連通口17aとヒータ5へ向かう水路とを接続する。第２アウトレット20bは、第２副連通口17bとトランスミッションオイルウォーマ4へ向かう水路とを接続する。第３アウトレット20cは、第３副連通口17cとラジエータ3へ向かう水路とを接続する。第１アウトレット20aおよび第２アウトレット20bの径方向内側端において、第１アウトレット20aおよび第２アウトレット20bの外周と、第１副連通口17aおよび第２副連通口17bの内周との間は、Oリング21a,21bでシールされている。ハウジング10には、第4副連通口17dが形成されている。第4副連通口17dは、ロータ12の回転角度に依らず常時主連通口16と連通する。第4副連通口17dの径方向外側には、管継手である第4アウトレット20dが固定されている。第4アウトレット20dは、第4副連通口17dと常時開水路7aとを接続する。また、ハウジング10には、第５副連通口17eが形成されている。第５副連通口17eは、第４副連通口17dと連通する。第３アウトレット20cには、第５副連通口17eと第１副連通口17aとを接続する図外の水路が形成されている。この水路には、サーモスタット22が収容されている。サーモスタット22は、水温が過度に高くなったとき（例えば100度以上）に水路を開いて水温冷却を促進するフェールセーフ機能を有する。ハウジング10のx軸正方向端には、MCV9をエンジン2にボルトで固定する際にボルトを差し込む３個の取り付け穴23を有する。
【００１２】
軸受部18は、ハウジング10に対して駆動軸13を回転可能に支持する。軸受部18は、x軸方向に沿う略円筒状に形成され、そのx軸負方向端は基部14のx軸負方向端よりもx軸負方向側へ突出し、そのx軸正方向端は基部14のx正方向端よりもx軸正方向側へ突出する。軸受部18のx軸正方向端は、第２副連通口17bのx軸正方向端よりもx軸負方向側に位置する。軸受部18の中心には、駆動軸13が貫通する貫通孔18aが形成されている。軸受部18は、貫通孔18a内に、ラジアルスラスト軸受（第１ラジアル軸受）24、ダストシール25、液密シール26およびスラスト軸受27を有する。ラジアルスラスト軸受24は、軸受部18のx軸負方向端に位置し、駆動軸13からの径方向の力およびx軸方向の力を受ける。ダストシール25は、x軸方向においてラジアルスラスト軸受24と液密シール26との間に位置し、軸受部18内に流入した冷却水が駆動機構11に進入することを抑制する。液密シール26は、x軸方向においてダストシール25とスラスト軸受27との間に位置し、弁体収容部19からの冷却水の流出を抑制する。スラスト軸受27は、軸受部18のx軸正方向端に位置し、駆動軸13からのx軸方向の力を受ける。ハウジング10は、貫通孔18aと基部14のx軸負方向側の空間とを接続するリリーフ孔28を有する。リリーフ孔28は、ストッパ14aのx軸負方向側に位置する。リリーフ孔28は、軸受部18内（貫通孔18a）に流入した冷却水や空気をハウジング10の外部へ排出するためのもので、x軸に対して傾斜を有する。リリーフ孔28は、貫通孔18aからx軸負方向側かつ径方向外側へ延び、基部14のx軸負方向側に開口する。リリーフ孔28は、貫通孔18aからx軸負方向側かつ径方向外側へ延び、基部14のx軸負方向側に開口する。
【００１３】
続いて、駆動機構11の構成を説明する。
駆動機構11は、基部14のx軸負方向側に位置し、駆動軸13を回転駆動する。駆動機構11は、電動モータ29、モータウォーム30、中間ギア31、中間ウォーム32およびロータギア33を有する。電動モータ29は、エンジンコントロールユニット101により制御される。電動モータ29は、出力軸29aがx軸負方向側を向いた状態でハウジング10に収容されている。モータウォーム30は、出力軸29aと一体に回転する。中間ギア31は、モータウォーム30と噛み合う。中間ウォーム32は、中間ギア31と一体である。中間ギア31および中間ウォーム32の中心には、中間シャフト34が貫通する。中間シャフト34の軸線はx軸と直交する。中間シャフト34は、基部14からx軸負方向側に延びる２本の軸支部35a,35bにより軸線周りを回転可能に支持されている。ロータギア33は、駆動軸13のx軸負方向端に固定され、駆動軸13と一体に回転する。駆動軸13のx軸負方向端には、マグネット36が取り付けられている。なお、マグネット36は図３のみに記載し、他の図では図示を省略している。モータウォーム30、中間ギア31、中間ウォーム32およびロータギア33は、ギアハウジング37内に収容されている。ギアハウジング37は、MRセンサ（不図示）を有する。MRセンサは、駆動軸13の回転に伴う磁界の変化に基づき、駆動軸13の回転角度、すなわちロータ12の回転角度を検出する。MRセンサにより検出された回転角度は、エンジンコントロールユニット101へ送信される。
【００１４】
次に、ロータ12の構成を説明する。
ロータ12は、弁体収容部19内に収容されている。ロータ12は、例えば合成樹脂材料を用いて形成されている。ロータ12は、底部38、外周部39、主開口部40、複数の副開口部41および延在部42を有する。底部38は、ロータ12のx軸負方向端に位置し、x軸方向と垂直である。底部38は、x軸負方向側から見たとき、ドーナツ形状における180度強の範囲が外周部分のみを残して切り欠かれた形状を有する。外周部39は、底部38の外周からx軸正方向側へ延びる略円筒状である。外周部39は、x軸負方向側から正方向側へ向かって内径が大きくなるテーパ形状を有する。外周部39は、外周部39のx軸正方向端から径方向外側へ延びるフランジ部39aを有する。周壁15のx軸正方向端付近であって、フランジ部39aよりもx軸負方向側には、滑り軸受（第２ラジアル軸受）44が設けられている。滑り軸受44は、ハウジング10に対してロータ12を回転可能に支持する。滑り軸受44は、ロータ12からの径方向の力を受ける。主開口部40は、外周部39のx軸正方向端（ロータ12のx軸正方向端）に形成された円形の開口部であって、主連通口16と連通する。複数の副開口部41は、外周部39に形成された開口部であって、ロータ12がそれぞれ所定の回転角度範囲にあるときに対応する複数の副連通口17a,17b,17cと連通する。複数の開口部41は、第１副開口部41a、第２副開口部41bおよび第３副開口部41cである。第１副開口部41aは第１副連通口17aと対応する。第２副開口部41bは第２副連通口17bと対応する。第３副開口部41cは第３副連通口17cと対応する。第２副開口部41bは第１副開口部41aよりもx軸負方向側に位置し、第３副開口部41cは第１副開口部41aよりもx軸正方向側に位置する。第２副開口部41bは周方向に延びる長穴形状であり、第１副開口部41aおよび第３副開口部41cは円形形状である。第２副開口部41bのx軸方向長さは、第１副開口部41aのx軸方向長さよりも短い。第３副開口部41cの開口面積は、第２副開口部41bの開口面積よりも大きい。第１副開口部41aは、２つの開口部41a1,41a2を有する。開口部41a1は夏季用、開口部41a2は冬季用である。第３副開口部41cも同様に２つの開口部41c1,41c2を有する。開口部41c1は夏季用、開口部41c2は冬季用である。第１副開口部41a（41a1,41a2）は、第１ガイド部43とx軸方向にオーバーラップする。
【００１５】
延在部42は、底部38の外周からx軸正方向側へ延び、駆動軸13のx軸正方向端と連結されている。延在部42は、先端部42a、円筒部（筒状部）42bおよび第２ガイド部42cを有する。先端部42aは、延在部42のx軸正方向端に設けられている。先端部42aは、ハウジング10の軸受部18のx軸正方向側に位置し、駆動軸13と固定されている。先端部42aの中心であって、駆動軸13との結合部分には、強度確保を目的とした金属製のインサート42dが埋設されている。ロータ12は、インサート42dをインサート品としてインサート成型されている。先端部42aのx軸正方向側は、ハウジング10の第１副連通口17aとx軸方向にオーバーラップする。先端部42aのx軸正方向端は、第１副連通口17aのx軸正方向端よりもx軸負方向側、かつ第１副連通口17aのx軸負方向端よりもx軸正方向側に位置する。先端部42aの外周面には、第１ガイド部43が設けられている。第１ガイド部43は、x軸正方向側から負方向側へ向かって径方向が大きくなるテーパ形状を有する。円筒部42bは、第１ガイド部43からx軸負方向側へ延びる円筒状に形成されている。円筒部42bの内径は軸受部18の外径よりも大きい。円筒部42bは、x軸方向において軸受部18とオーバーラップする。円筒部42bのx軸方向端は、周方向において底部38の前記切り欠かれた範囲では第２ガイド部42cと接続し、それ以外の範囲では底部38と接続する。第２ガイド部42cは、周方向において底部38の前記切り欠かれた範囲に設けられ、円筒部42bと底部38の外周とを接続する。第２ガイド部42cは、第２副開口部41bのx軸負方向側の開口周縁と接続する。第２ガイド部42cは、x軸正方向側から負方向側へ向かって径方向の外形が大きくなるテーパ形状を有する。底部38は、第２ガイド部42cと接続する２つの接続部38a,38bを有する。両接続部38a,38bは、x軸方向に沿って延びる。両接続部38a,38bは、ロータ12がそれぞれ所定の回転角度のとき、基部14のストッパ14aと周方向に係合する。ロータ12は、接続部38aが基部14のストッパ14aと当接した状態からx軸負方向側から見て右回りに回転し、接続部38bがストッパ14aと当接するまでの180度弱の角度範囲を回転可能である。
【００１６】
次に、各副連通口17a,17b,17cに設けられた各シール部45,46,47について説明する。
第１シール部45は、第１副連通口17aに設けられている。第１シール部45は、第１副連通口17aと第１副開口部41aとの連通時において、第１副連通口17aから周壁15と外周部39との径方向間の隙間への冷却水の漏れを抑制する。第１シール部45は、ロータシール45a、Oリング45bおよびコイルスプリング45cを有する。ロータシール45aは、円筒形状を有し、第１副連通口17aに挿入されている。ロータシール45aの径方向内側端は、外周部39と当接する。Oリング45bは、第１副連通口17aの内周面とロータシール45aの外周面との間をシールする。コイルスプリング45cは、ロータシール45aと第１アウトレット20aとの径方向間に圧縮状態で介装され、ロータシール45aを径方向内側へ付勢する。第２シール部46は、第２副連通口17bに設けられている。第２シール部46は、第２副連通口17bと第２副開口部41bとの連通時において、第２副連通口17bから周壁15と外周部39との径方向間の隙間への冷却水の漏れを抑制する。第２シール部46は、ロータシール46a、Oリング46bおよびコイルスプリング46cを有する。ロータシール46aは、円筒形状を有し、第２副連通口17bに挿入されている。ロータシール46aの径方向内側端は、外周部39と当接する。Oリング46bは、第２副連通口17bの内周面とロータシール46aの外周面との間をシールする。コイルスプリング46cは、ロータシール46aと第２アウトレット20bとの径方向間に圧縮状態で介装され、ロータシール46aを径方向内側へ付勢する。第３シール部47は、第３副連通口17cに設けられている。第３シール部47は、第３副連通口17cと第３副開口部41cとの連通時において、第３副連通口17cから周壁15と外周部39との径方向間の隙間への冷却水の漏れを抑制する。第３シール部47は、ロータシール47a、Oリング47bおよびコイルスプリング47cを有する。ロータシール47aは、円筒形状を有し、第３副連通口17cに挿入されている。ロータシール47aの径方向内側端は、外周部39と当接する。Oリング47bは、第３副連通口17cの内周面とロータシール47aの外周面との間をシールする。コイルスプリング47cは、ロータシール47aと第３アウトレット20cとの径方向間に圧縮状態で介装され、ロータシール47aを径方向内側へ付勢する。
【００１７】
次に、実施形態１のMCV9の作用効果を説明する。
実施形態１のMCV9において、ロータ12内の空間には延在部42が突出しているため、主開口部40からx軸負方向側へ向かう冷却水の流れが延在部42に衝突してよどみが生じ、冷却水の圧力損失が懸念される。ここで、第１副開口部41aおよび第２副開口部41bを延在部42よりもx軸正方向側に設けることにより、冷却水の圧力損失を低減できるものの、ロータ12のx軸方向寸法が長くなるため、MCV9の大型化を招く。
そこで、実施形態１のロータ12は、延在部42の外周側に、x軸正方向側から負方向側へ向かって径方向の外形が大きくなる第１ガイド部43を備える。これにより、第１ガイド部43の形状に沿って径方向外側へ向かう冷却水の流れが形成され、主開口部40から第１副開口部41aおよび第２副開口部41bへスムーズに冷却水が流れる。また、延在部42への流れの衝突が抑制され、延在部42付近でのよどみが抑制される。この結果、MCV9の圧力損失を低減できる。また、ロータ12のx軸方向寸法を長くする必要が無いため、MCV9の大型化を抑制できる。
延在部42は、第１ガイド部43からx軸負方向側へ延びる円筒部42bを有する。これにより、軸受部18の一部を円筒部42b内に収容して軸受部18を円筒部42bとx軸方向にオーバーラップさせることができ、MCV9のx軸方向寸法を短くできる。
延在部42は、円筒部42bと底部38の外周とを接続しx軸正方向側から負方向側へ向かって径方向の外径が大きくなる第２ガイド部42cを有する。第２ガイド部42cは、第２副開口部41bのx軸負方向側の開口周縁と接続する。これにより、第２ガイド部42cの形状に沿って主開口部40から第２副開口部41bへ向かう冷却水の流れが形成され、主開口部40から第２副開口部41bによりスムーズに冷却水が流れるため、圧力損失をさらに低減できる。
ロータ12は、x軸方向へ延び、底部38と第２ガイド部42cとを接続する接続部38a,38bを有する。これにより、ハウジング10側のストッパ14aでロータ12の回転角度範囲を所定の回転角度範囲に規制できる。
【００１８】
第１副開口部41aは、第１ガイド部43とx軸方向にオーバーラップする。これにより、主開口部40から第１副開口部41aへよりスムーズに冷却水が流れるため、圧力損失をさらに低減できる。
MCV9は、各副開口部41a,41b,41cからハウジング10と外周部39との径方向間の隙間への冷却水の漏れを抑制するシール部45,46,47を有する。これにより、MCV9の内部リークを抑制でき、冷却水の流量低下が抑えられる。
第３副開口部41cは、第１副開口部41aよりもx軸正方向側に設けられ、かつ第１副開口部41aおよび第２副開口部41bよりも開口面積が大きい。つまり、第３副開口部41aは各副開口部41a,41b,41cのうち主開口部40に最も近く、かつ開口面積が最大であるため、各副開口部41a,41b,41cの中で最も多くの冷却水を流せる。よって、第３副開口部41aに対応する第３副連通口17cは、車両に搭載された各熱交換器3,4,5のうち最も多くの冷却水を必要とするラジエータ3との接続に好適である。
第１副開口部41aは夏季用開口部41a1および冬季用開口部41a2を有する。これにより、外気温に応じた冷却水の流量制御を実現できる。第３副開口部41cについても同様の効果を奏する。
軸受部18は、駆動軸13を回転可能に支持するラジアルスラスト軸受24を有し、周壁15は、x軸正方向端に設けられ、外周部39のx軸正方向端を回転可能に支持する滑り軸受44を有する。つまり、ロータ12のx軸方向両端に径方向（ラジアル方向）からの力を受けるラジアル軸受を配置したため、ロータ12を安定して支持でき、ロータ12の回転がスムーズとなる。
【００１９】
ハウジング10は、軸受部18から車両上方側（x軸負方向側）へ延びてハウジング10外と接続しx軸に対して傾斜したリリーフ孔28を有する。これにより、軸受部18に流入した空気をハウジング10外に排出できる。また、リリーフ孔28はx軸に対して傾斜しているため、ハウジング10のx軸方向寸法が長くなるのを抑制できる。
軸受部18は、駆動軸13を支持するスラスト軸受27を有する。ロータ12は、主開口部40へ導入された冷却水からx軸負方向側に力を受ける。ロータ12をスラスト軸受27で支持することにより、ロータ12に作用するx軸方向（スラスト方向）の力を支持できる。
外周部39は、x軸負方向側から正方向側へ向かって内径が大きくなるテーパ形状を有する。これにより、インサート成型後のロータ12が樹脂成形金型から抜きやすいため、ロータ12の製造工程を容易化できる。
外周部39は、x軸正方向端にフランジ部39aを有する。これにより、外周部39のx軸正方向端において、周壁15の内周面と外周部39の外周面との径方向間の隙間への冷却水の漏れを抑制できる。よって、MCV9の内部リークを抑制でき、冷却水の流量低下が抑えられる。
実施形態１の冷却システム1は、複数の熱交換器3,4,5と、各熱交換器3,4,5を経由し各熱交換器3,4,5で冷却された冷却水を循環させることでエンジン2を冷却する回路7と、回路7内を循環する冷却水の流量を制御するMCV9と、を有する。これにより、冷却システム1の小型化および圧力損失の低減が図れる。
MCV9は、エンジン2から各熱交換器3,4,5へ向かう冷却水の流量を制御し、主連通口16はエンジン2側と接続し、各副連通口17a,17b,17cは各熱交換器3,4,5側と接続する。これにより、エンジン2から各熱交換器3,4,5へ向かう冷却水の圧力損失を抑制できる。
【００２０】
〔実施形態２〕
図１１は、実施形態２における図４のS5-S5線矢視断面図である。
実施形態２のMCV90は、第２ガイド部42cの形状が実施形態１と相違する。実施形態２では、第１副開口部41aおよび第３副開口部41cが１つである。また、実施形態２では、軸受部18と円筒部42bとがx軸方向にオーバーラップしていない。実施形態２の第２ガイド部42cは、図７に示した第２副開口部41bのx軸負方向側の開口周縁と接続する第２副開口部対応第２ガイド部42c2に加え、第１副開口部41aのx軸負方向側の開口周縁と接続する第１副開口部対応第２ガイド部42c1と、第３副開口部41cのx軸負方向側の開口周縁と接続する第３副開口部対応第２ガイド部42c3とを有する。第１副開口部対応第２ガイド部42c1は、円筒部42bと外周部39とを接続する。第１副開口部対応第２ガイド部42c1は、x軸正方向側から負方向側へ向かって径方向の外径が大きくなるテーパ形状を有する。第３副開口部対応第２ガイド部42c3は、先端部42aと外周部39とを接続する。第３副開口部対応第２ガイド部42c3は、x軸正方向側から負方向側へ向かって径方向の外径が大きくなるテーパ形状を有する。他の構成は実施形態１と同じであるため説明は省略する。
実施形態２のMCV90では、第１副開口部41aのx軸負方向側の開口周縁と接続する第１副開口部対応第２ガイド部42c1を有する。これにより、第１副開口部対応第２ガイド部42c1の形状に沿って主開口部40から第１副開口部41aへ向かう冷却水の流れが形成され、主開口部40から第１副開口部41aによりスムーズに冷却水が流れるため、圧力損失をさらに低減できる。第３副開口部対応第２ガイド部42c3についても同様の効果を奏する。
【００２１】
〔実施形態３〕
図１２は、実施形態３における図４のS5-S5線矢視断面図である。
実施形態３のMCV91は、各副連通口17a,17b,17cに接続されるアウトレット20a,20b,20cの形状が実施形態２と相違する。各アウトレット20a,20b,20cの各副連通口17a,17b,17c側（径方向内側）端部の内径は、径方向内側から外側へ向かって開口面積が徐々に大きくなるテーパ形状を有する。また、各副連通口17a,17b,17cについても同様に、径方向内側から外側へ向かって開口面積が徐々に大きくなるテーパ形状を有する。他の構成は実施形態２と同じであるため説明は省略する。
実施形態３のMCV91では、各副連通口17a,17b,17cが径方向内側から外側へ向かって開口面積が大きくなる各アウトレット20a,20b,20cと接続するため、冷却水の圧力損失をより低減できる。
【００２２】
〔実施形態４〕
図１３は、実施形態４の冷却システム100の概略図である。
実施形態４の冷却システム100において、MCV9は、各熱交換器3,4,5からウォータポンプ6へ供給される冷却水の流量を調整する。MCV9の主連通口16は、弁体収容部19とウォータポンプ6へ向かう水路とを接続する。第１アウトレット20aは、ヒータ5からの水路と第１副連通口17aとを接続する。第２アウトレット20bは、トランスミッションオイルウォーマ4からの水路と第２副連通口17bとを接続する。第３アウトレット20cは、ラジエータ3からの水路と第３副連通口17cとを接続する。他の構成は実施形態１と同じであるため説明は省略する。
実施形態４の冷却システム100では、MCV9が各熱交換器3,4,5からエンジン2（ウォータポンプ6の吸入側）へ向かう冷却水の流量を制御し、主連通口16はエンジン2側と接続し、各副連通口17a,17b,17cは各熱交換器3,4,5側と接続する。これにより、各熱交換器3,4,5からエンジン2へ向かう冷却水の圧力損失を抑制できる。
【００２３】
〔他の実施形態〕
以上、本発明を実施するための実施形態を説明したが、本発明の具体的な構成は実施形態の構成に限定されるものではなく、発明の要旨を逸脱しない範囲の設計変更等があっても本発明に含まれる。
冷却システムの熱源は、エンジン以外の内燃機関や燃料電池等でもよい。
軸受部のラジアルスラスト軸受はラジアル軸受でもよい。
副連通口および副開口部をそれぞれ２個または４個以上としてもよい。
【００２４】
以上説明した実施形態から把握し得る技術的思想について、以下に記載する。
流量制御弁は、その一つの態様において、駆動軸と、前記駆動軸が貫通する基部と、前記駆動軸の軸線に沿う方向を軸方向としたとき前記基部の外周から前記軸方向一方側へ延び内周側に弁体収容部が設けられた周壁と、前記周壁の前記軸方向一方側の端部に設けられ前記弁体収容部と連通する主連通口と、前記周壁に形成され前記弁体収容部と連通する複数の副連通口と、前記基部から前記軸方向一方側へ向かって突設され前記駆動軸を回転可能に支持する軸受部と、を有するハウジングと、前記基部の前記軸方向他方側に設けられ前記駆動軸を回転駆動する駆動機構と、前記弁体収容部に収容された弁体であって、底部と、前記底部の外周から前記軸方向一方側へ延びる外周部と、前記外周部の前記軸方向一方側の端部に設けられ前記主連通口と連通する主開口部と、前記外周部に形成され前記弁体が所定の回転角度範囲にあるときに前記複数の副連通口のうち対応する副連通口と連通する複数の副開口部と、前記底部または前記外周部から前記軸方向一方側へ延び前記駆動軸の一方側の端部と固定された延在部と、前記延在部の外周側に設けられ前記軸線の放射方向を径方向としたとき前記軸方向一方側から他方側へ向かって前記径方向の外形が大きくなる第１ガイド部と、を有する弁体と、を備える。
より好ましい態様では、上記態様において、前記延在部は、前記第１ガイド部から前記軸方向他方側へ延びる筒状部を有する。
別の好ましい態様では、上記態様のいずれかにおいて、前記延在部は、前記円筒部と前記底部の外周または前記外周部とを接続し前記軸方向一方側から他方側へ向かって径方向の外形が大きくなる第２ガイド部を有する。
【００２５】
さらに別の好ましい態様では、上記態様のいずれかにおいて、前記弁体は、前記軸方向へ延び、前記底部と前記第２ガイド部とを接続する接続部を有する。
さらに別の好ましい態様では、上記態様のいずれかにおいて、前記複数の副開口部のうちの少なくとも１つは、前記第１ガイド部と前記軸方向にオーバーラップする。
さらに別の好ましい態様では、上記態様のいずれかにおいて、前記複数の副連通口および前記複数の副開口部のうち対応する二者の一方から前記ハウジングと前記外周部との前記径方向間の隙間への流体の漏れを抑制するシール部を有する。
さらに別の好ましい態様では、上記態様のいずれかにおいて、前記複数の副連通口は、第１副連通口および前記第１副連通口よりも前記軸方向他方側に設けられた第２副連通口を有し、前記複数の副開口部は、前記第１副連通口と対応し前記第１ガイド部と前記軸方向にオーバーラップする第１副開口部および前記第２副連通口と対応する第２副開口部を有する。
さらに別の好ましい態様では、上記態様のいずれかにおいて、前記弁体は、前記第２副開口部の前記軸方向他方側の開口周縁と接続し、前記軸方向一方側から他方側へ向かって径方向の外形が大きくなる第２ガイド部を有する。
さらに別の好ましい態様では、上記態様のいずれかにおいて、前記複数の副連通口は、前記第１副連通口よりも前記軸方向一方側に設けられた第３副連通口を有し、前記複数の副開口部は、前記第３副連通口と対応し前記第１副開口部よりも開口面積が大きな第３副開口部を有する。
【００２６】
さらに別の好ましい態様では、上記態様のいずれかにおいて、前記第１副連通口および第２副連通口の少なくとも一方を複数個とした。
さらに別の好ましい態様では、上記態様のいずれかにおいて、前記軸受部は、前記駆動軸を回転可能に支持する第１ラジアル軸受を有し、前記周壁は、前記軸方向一方側の端部に設けられ、前記外周部の前記軸方向一方側の端部を回転可能に支持する第２ラジアル軸受を有する。
さらに別の好ましい態様では、上記態様のいずれかにおいて、前記ハウジングは、軸受部と前記ハウジングの外部とを接続し前記軸線に対して傾斜したリリーフ孔を有する。
さらに別の好ましい態様では、上記態様のいずれかにおいて、前記軸受部は、前記駆動軸を支持するスラスト軸受を有する。
さらに別の好ましい態様では、上記態様のいずれかにおいて、前記複数の副連通口のうち少なくとも１つは、前記径方向内側から外側へ向かって開口面積が大きくなる配管と接続する。
さらに別の好ましい態様では、上記態様のいずれかにおいて、前記外周部は、前記軸方向他端側から一方側へ向かって内径が大きくなる。
さらに別の好ましい態様では、上記態様のいずれかにおいて、前記外周部は、その前記軸方向一方側の端部にフランジ部を有する。
【００２７】
また、他の観点から、流量制御弁は、駆動軸と、前記駆動軸の軸線に沿う方向を軸方向としたとき前記駆動軸の前記軸方向一方側に設けられた弁体収容部と、前記弁体収容部の前記軸方向一方側に設けられ前記弁体収容部と連通する主連通口と、前記軸線の放射方向を径方向としたとき前記弁体収容部に前記径方向から連通する複数の副連通口と、を有するハウジングと、前記駆動軸の前記軸方向他方側に設けられ前記駆動軸を回転駆動する駆動機構と、前記弁体収容部に収容され、底部と、前記底部の外周から前記軸方向一方側へ延びる外周部と、前記底部よりも前記軸方向一方側に設けられ前記駆動軸の回転力を受ける軸支部と、前記外周部の前記軸方向一方側の端部に設けられ前記主連通口と連通する主開口部と、前記外周部に形成され前記軸線の放射方向を径方向としたとき前記弁体が所定の回転角度範囲にあるときに前記複数の副連通口のうち対応する副連通口と前記径方向にオーバーラップする複数の副開口部と、前記底部の外周または前記外周部から前記軸方向一方側かつ前記径方向内側へ向かって延び前記軸支部と接続するガイド部と、を有する弁体と、を備える。
【００２８】
さらに、他の観点から、冷却システムは、流入した流体を冷却する複数の熱交換器と、前記複数の熱交換器を経由し、前記熱交換器で冷却された流体を循環させることで熱源を冷却する回路と、前記回路内を循環する前記流体の流量を制御する流量制御弁と、を有し、前記流量制御弁は、駆動軸と、前記駆動軸が貫通する基部と、前記駆動軸の軸線に沿う方向を軸方向としたとき前記基部の外周から前記軸方向一方側へ延び内周側に弁体収容部が設けられた周壁と、前記周壁の前記軸方向一方側の端部に設けられ前記弁体収容部と連通する主連通口と、前記周壁に形成され前記弁体収容部と連通する複数の副連通口と、前記基部から前記軸方向一方側へ向かって突設され前記駆動軸を回転可能に支持する軸受部と、を有するハウジングと、前記基部の前記軸方向他方側に設けられ前記駆動軸を回転駆動する駆動機構と、前記弁体収容部に収容され、底部と、前記底部の外周から前記軸方向一方側へ延びる外周部と、前記外周部の前記軸方向一方側の端部に設けられ前記主連通口と連通する主開口部と、前記外周部に形成され前記弁体が所定の回転角度範囲にあるときに前記複数の副連通口のうち対応する副連通口と連通する複数の副開口部と、前記底部または前記外周部から前記軸方向一方側へ延び前記駆動軸の一方側の端部と固定された延在部と、前記延在部の外周側に設けられ前記軸線の放射方向を径方向としたとき前記軸方向一方側から他方側へ向かって前記径方向の外形が大きくなる第１ガイド部と、を有する弁体と、を備える。
好ましくは、上記態様において、前記流量制御弁は、前記熱源から前記複数の熱交換器へ向かう前記流体の流量を制御し、前記主連通口は前記熱源側と接続し、前記複数の副連通口は前記複数の熱交換器側と接続する。
別の好ましい態様では、上記態様のいずれかにおいて、前記流量制御弁は、前記複数の熱交換器から前記熱源へ向かう前記流体の流量を制御し、前記主連通口は前記熱源側と接続し、前記複数の副連通口は前記複数の熱交換器側と接続する。
【符号の説明】
【００２９】
1  冷却システム
2  エンジン（熱源）
3  ラジエータ（熱交換器）
4  トランスミッションオイルウォーマ（熱交換器）
5  ヒータ（熱交換器）
7  回路
9  メカニカルコントロールバルブ（流量制御弁）
10  ハウジング
11  駆動機構
12  ロータ（弁体）
13  駆動軸
14  基部
15  周壁
16  主連通口
17  副連通口
17a  第１副連通口
17b  第２副連通口
17c  第３副連通口
18  軸受部
19  弁体収容部
20a  第１アウトレット（配管）
20b  第２アウトレット（配管）
20c  第３アウトレット（配管）
24  ラジアルスラスト軸受（第１ラジアル軸受）
27  スラスト軸受
28  リリーフ孔
38  底部
38a  接続部
38b  接続部
39  外周部
39a  フランジ部
40  主開口部
41  副開口部
41a  第１副開口部
41b  第２副開口部
41c  第３副開口部
42  延在部
42b  円筒部（筒状部）
42c  第２ガイド部
43  第１ガイド部
44  滑り軸受（第２ラジアル軸受）
45  第１シール部（シール部）
46  第２シール部（シール部）
47  第３シール部（シール部）
100  冷却システム
【図１】
2018048683.tif 000003
【図２】
2018048683.tif 000004
【図３】
2018048683.tif 000005
【図４】
2018048683.tif 000006
【図５】
2018048683.tif 000007
【図６】
2018048683.tif 000008
【図７】
2018048683.tif 000009
【図８】
2018048683.tif 000010
【図９】
2018048683.tif 000011
【図１０】
2018048683.tif 000012
【図１１】
2018048683.tif 000013
【図１２】
2018048683.tif 000014
【図１３】
2018048683.tif 000015